(57)【要約】  車両シートに動作可能に連結される付属品組立体は、前面および反対側の後面を有するハウジングを含む。ハウジングの後面にスクリーンが配置される。ハンガーがハウジングに合わさり、それに取り外し可能に連結される。ハンガーは、少なくとも部分的に中に形成された空洞を有する中央部分と、中央部分の対向する端部から延在している第１および第２の肩部分とを有する。インサートは、ハンガーの中央部分の空洞に取り外し可能に連結され、物体を中で受け解放可能に係合させるように構成されたチャネルを画成している。【選択図】図５
2018532540.tif 000002
【特許請求の範囲】
【請求項１】
車両シートに動作可能に連結される付属品組立体であって、
前面および前記前面とは反対側の後面を有するハウジングと、
前記ハウジングの前記後面に配置されたスクリーンと、
中央部分、および前記中央部分の対向する端部から延在している第１および第２の肩部分を有する、前記ハウジングと協働するハンガーと、
を備え、
前記ハンガーが前記スクリーンを遮らないように、前記ハンガーは、前記スクリーンと前記車両シートとの間で、前記ハウジングの前記前面に近接して位置決めされ、前記前面に隣接して取り外し可能に固定可能である、付属品組立体。
【請求項２】
前記ハンガーが、前記ハンガーの前記第１と第２の肩部分の間に延在している互いに対向した側壁間において前記ハンガーの前記中央部分に少なくとも部分的に形成された空洞をさらに備える、請求項１に記載の付属品組立体。
【請求項３】
少なくとも１つのスロットが、前記第１および第２の肩部分のそれぞれに形成され、前記中央部分に近接して配置されている、請求項１に記載の付属品組立体。
【請求項４】
前記ハンガーの前記中央部分の前記空洞に取り外し可能に連結されるインサートをさらに備え、前記インサートが、その中に物体を受け入れ、解放可能に係合させるように構成されたチャネルを画定している、請求項１に記載の付属品組立体。
【請求項５】
前記インサートに画定された前記チャネルが、前記ハンガーの前記第１および第２の肩部分の前記少なくとも１つのスロットと協働するようにサイズ設定された、請求項４に記載の付属品組立体。
【請求項６】
前記ハンガーの前記中央部分に画定された前記空洞に前記インサートが取り外し可能に固定されるように、前記インサートが可撓性材料から形成される、請求項４に記載の付属品組立体。
【請求項７】
前記インサートに受け入れられた前記物体は、前記インサート内に位置決めされたときに、前記スクリーンの上方に少なくとも部分的に露出される、請求項１に記載の付属品組立体。
【請求項８】
前記ハンガーの前記第１および第２の肩部分が、前記ハウジング上の前記スクリーンの後ろで、少なくとも部分的にその上方に、かつその横方向外向きに延在している、請求項１に記載の付属品組立体。
【請求項９】
前記ハウジングを前記車両シートに動作可能に連結するための、前記ハウジングの前記前面から延在している取付け構造部をさらに備える、請求項１に記載の付属品組立体。
【請求項１０】
前面および前記前面とは反対側の後面を有するハウジングと、
前記ハウジングの前記後面に配置されたスクリーンと、
中央部分、および前記中央部分の対向する端部から延在している第１および第２の肩部分を含む、前記ハウジングと協働するハンガーであって、前記中央部分が、前記ハンガーの前記第１と第２の肩部分の間に延在している互いに対向した側壁間においてその中に少なくとも部分的に形成された空洞を含む、ハンガーと、
前記ハンガーの前記中央部分の前記空洞に取り外し可能に連結されたインサートと
を備え、
前記インサートが、その中に物体を受け入れ、解放可能に係合させるように構成されたチャネルを画定し、それにより前記物体は、前記インサートに位置決めされたときに、前記スクリーンの上方に少なくとも部分的に露出される、付属品組立体。
【請求項１１】
前記第１および第２の肩部分のそれぞれが、前記ハンガーの前記中央部分に近接して配置された少なくとも１つのスロットをその中に画定している、請求項１０に記載の付属品組立体。
【請求項１２】
前記インサートが、前記ハンガーの前記第１および第２の肩部分の前記少なくとも１つのスロットと協働するようにサイズ設定された少なくとも１つのスロットを画定している、請求項１１に記載の付属品組立体。
【請求項１３】
前記インサートに受け入れられた前記物体は、前記インサートに位置決めされたときに前記スクリーンの上方に少なくとも部分的に露出される、請求項１０に記載の付属品組立体。
【請求項１４】
車両シートであって、
シート底部と、
前記シート底部に調節可能に連結され、前記シート底部に対して位置決め可能な下側端部、および上側端部を有するシートバックと、
前記シートバックの前記上側端部に動作可能に連結されたヘッドレストと、
前記シートバックに近接して配置され、動作可能に連結された付属品組立体であって、
前面および前記前面とは反対側の後面を有するハウジング、
前記ハウジングの前記後面に配置されたスクリーン、
中央部分、および前記中央部分の対向する端部から延在している第１および第２の肩部分を含む、前記ハウジングと協働するハンガーであって、前記中央部分が、前記ハンガーの前記第１と第２の肩部分の間においてその中に少なくとも部分的に形成された空洞を含む、ハンガー、ならびに
前記ハンガーの前記中央部分の前記空洞に取り外し可能に連結されるインサートであって、前記インサートが、その中に物体を受け入れ、解放可能に係合させるように構成されたチャネルを画定している、インサート
を備える、付属品組立体と
を備える車両シート。
【請求項１５】
少なくとも１つのスロットが、前記第１および第２の肩部分のそれぞれに形成され、前記インサートを受け入れるように前記中央部分に近接して配置されている、請求項１４に記載の車両シート。
【請求項１６】
前記インサートに画定された前記チャネルが、前記ハンガーの前記第１および第２の肩部分の前記少なくとも１つのスロットと協働するようにサイズ設定された、請求項１４に記載の車両シート。
【請求項１７】
前記ハンガーの前記中央部分に画定された前記空洞に前記インサートが取り外し可能に固定されるように、前記インサートが可撓性材料から形成される、請求項１５に記載の車両シート。
【請求項１８】
前記物体は、前記インサートに位置決めされたときに、前記スクリーンの上方に少なくとも部分的に露出される、請求項１４に記載の車両シート。
【請求項１９】
前記ハウジングを前記車両シートに動作可能に連結するための、前記ハウジングの前記前面から延在している取付け構造部をさらに備える、請求項１４に記載の車両シート。
【請求項２０】
ヘッドレストが前記車両シートの前記シートバックに係合するときに、前記ヘッドレストから延在している対応する１つまたは複数の柱を受け入れるように構成された１つまたは複数の柱開口部を、前記取付け構造部がさらに備える、請求項１９に記載の車両シート。
【発明の詳細な説明】
【技術分野】
【０００１】
関連出願の相互参照
[0001]本願は、２０１５年１１月２日に出願された「ＡＣＣＥＳＳＯＲＹ  ＡＳＳＥＭＢＬＹ」という名称の米国仮特許出願第６２／２４９，９３３号、および２０１６年８月２５日に出願された「ＶＥＨＩＣＬＥ  ＥＮＴＥＲＴＡＩＮＭＥＮＴ  ＣＥＮＴＥＲ  ＡＳＳＥＭＢＬＹ  ＷＩＴＨ  ＨＡＮＧＥＲ」という名称の米国仮特許出願第６２／３７９，５８６号の利益ならびに優先権を主張し、これら両方の出願は参照によりその全体が本願に組み込まれる。
【０００２】
[0002]本開示は、車内娯楽用センター組立体に関する。
【背景技術】
【０００３】
[0003]スマートフォン、タブレット、携帯情報端末（ＰＤＡ）、全地球測位システム（ＧＰＳ）などの電子デバイスは、車両の乗員によって広く使用される。これらの電子デバイスのいくつかは、携帯性という利益を提供し、乗員がそのデバイスを持ち込み車両内で使用することを可能にするとともに、乗員が車両から降りるときにはそのデバイスを持ち出すことを可能にする。車両と一体化させることができる電子デバイスもある。
【発明の概要】
【課題を解決するための手段】
【０００４】
[0004]本開示は、車両シートの後方に面した側に対してなど、車両のシートに取付け可能な車内娯楽用センター付属品組立体を提供する。付属品組立体は、前面および前面とは反対側の後面を有するハウジングを含む。ハウジングの後面にスクリーンが配置されている。ハンガーは、ハウジングと協働し（換言すれば、合わさり）、中央部分と、中央部分の対向する端部から延在している第１および第２の肩部分とを含む。ハンガーがスクリーンを遮らないように、ハンガーは、スクリーンと車両シートとの間で、ハウジングの前面に近接して位置付けられ、その前面に隣接して取り外し可能に固定可能である。
【０００５】
[0005]ハンガーの第１と第２の肩部分の間に延在している互いに対向した側壁間においてハンガーの中央部分に少なくとも部分的に形成された空洞を、ハンガーは含むことができる。少なくとも１つのスロットが、第１および第２の肩部分のそれぞれに形成され、インサートをその中に受け入れるように中央部分に近接して配置されている。インサートは、ハンガーの中央部分の空洞に取り外し可能に連結され、インサートは、その中に物体を受け入れ、解放可能に係合させるように構成されたチャネルを画定している。
【０００６】
[0006]インサートに画定されたチャネルは、ハンガーの第１および第２の肩部分の少なくとも１つのスロットと協働するようにサイズ設定されている。ハンガーの中央部分に画成された空洞にインサートが取り外し可能に固定されるように、インサートは可撓性材料から形成されている。インサートに受け入れられた物体は、インサート内に位置決めされたときに、スクリーンの上方に少なくとも部分的に露出される。ハンガーの第１および第２の肩部分は、ハウジング上のスクリーンの後ろで、少なくとも部分的にその上方に、かつその横方向外向きに延在している。取付け構造部が、ハウジングを車両シートに動作可能に連結するために、ハウジングの前面から延在している。
【０００７】
[0007]本開示の別の実施形態では、付属品モジュールは、前面および前面とは反対側の後面を有するハウジングと、ハウジングの後面に配置されたスクリーンとを含む。ハンガーはハウジングと協働し、中央部分と、中央部分の対向する端部から延在している第１および第２の肩部分とを含む。
【０００８】
[0008]中央部分は、ハンガーの第１と第２の肩部分の間に延在している互いに対向した側壁間においてその中に少なくとも部分的に形成された空洞を含む。インサートは、ハンガーの中央部分の空洞に取り外し可能に連結される。インサートはチャネルを画定しており、その中に物体を受け入れ、解放可能に係合させるように構成されており、それにより物体は、インサート内に位置決めされたときに、スクリーンの上方に少なくとも部分的に露出される。
【０００９】
[0009]第１および第２の肩部分のそれぞれが、ハンガーの中央部分に近接して配置された少なくとも１つのスロットをその中に画定している。インサートは、ハンガーの第１および第２の肩部分の少なくとも１つのスロットと協働するようにサイズ設定された少なくとも１つのスロットを画成している。インサートに受け入れられた物体は、インサート内に位置決めされたときに、スクリーンの上方に少なくとも部分的に露出される。
【００１０】
[0010]本開示のさらに別の実施形態では、車両シートは、シート底部と、シート底部に調節可能に連結され、シート底部に対して位置決め可能な下側端部、および上側端部を有するシートバックとを含む。ヘッドレストは、シートバックの上側端部に動作可能に連結されている。付属品組立体は、シートバックに近接して配置され、動作可能に連結されている。
【００１１】
[0011]ハウジングは、前面および前面とは反対側の後面を含む。ハウジングの後面にスクリーンが配置されている。ハンガーはハウジングと協働し、中央部分と、中央部分の対向する端部から延在している第１および第２の肩部分とを含む。中央部分は、ハンガーの第１と第２の肩部分の間に延在している互いに対向した側壁間においてその中に少なくとも部分的に形成された空洞を含む。インサートは、ハンガーの中央部分の空洞に取り外し可能に連結され、その中に物体を受け入れ、解放可能に係合させるように構成されたチャネルを画定している。
【００１２】
[0012]少なくとも１つのスロットが、第１および第２の肩部分のそれぞれに形成され、インサートを受け入れるように中央部分に近接して配置されている。インサートに画定されたチャネルは、ハンガーの第１および第２の肩部分の少なくとも１つのスロットと協働するようにサイズ設定されている。ハンガーの中央部分に画定された空洞にインサートが取り外し可能に固定されるように、インサートは可撓性材料から形成される。物体は、インサート内に位置決めされたときに、スクリーンの上方に少なくとも部分的に露出される。
【００１３】
[0013]取付け構造部が、ハウジングを車両シートに動作可能に連結するために、ハウジングの前面から延在している。取付け構造部は、ヘッドレストが車両シートのシートバックに係合するときに、ヘッドレストから延在している対応する１つまたは複数の柱を受け入れるように構成された１つまたは複数の柱開口部を含む。
【００１４】
[0014]詳細な記述、および図面または図は、本開示を裏付け説明するものであるが、本開示の特許請求の範囲は、特許請求の範囲によってのみ定義される。特許請求の範囲を実施するための最良のモードおよび他の実施形態のうちのいくつかが詳細に記述されているが、添付の特許請求の範囲において定義される本開示を実践するための様々な代替的な設計および実施形態が存在している。
【図面の簡単な説明】
【００１５】
【図１】[0015]携帯電話およびヘッドホンセットを支持した状態で示される車内娯楽用センター付属品組立体の実施形態の概略前面図である。
【図２】[0016]携帯電話およびヘッドホンセットを支持した状態で示される図１の車内娯楽用センター付属品組立体の概略側面図である。
【図３】[0017]図１の車内娯楽用センター付属品組立体の部分的に分解された概略斜視図である。
【図４】[0018]図１の車内娯楽用センター付属品組立体を２つ含む車両の概略部分斜視図である。
【図５】[0019]携帯電話を支持した状態で示される図１の車内娯楽用センター付属品組立体の概略的な部分斜視後面図である。
【図６】[0020]携帯電話を支持した状態で示される図１の車内娯楽用センター付属品組立体の概略的な部分斜視前図である。
【図７】[0021]図１の７−７線で切り取られた図１の車内娯楽用センター付属品組立体のハンガーおよび携帯電話インサートの概略断面図である。
【図８】[0022]図７のハンガーおよび携帯電話インサートの概略的な部分斜視前面図である。
【図９】[0023]図１のハンガーおよびインサートの概略分解斜視図である。
【図１０】[0024]ヘッドホンセットを支持した状態で示される図１の車内娯楽用センター付属品組立体の概略部分側面図である。
【図１１】[0025]ヘッドホンセットを支持した状態で示される図１の車内娯楽用センター付属品組立体の概略部分前面図である。
【発明を実施するための形態】
【００１６】
[0026]あらゆる方向の参照（例えば、〜上、〜下、上方、上、下方、下、上部、下部、左、右、垂直な、水平な、など）は、読者の理解を助けるために図面に関して説明的に使用され、添付の特許請求の範囲によって定義されるような本開示の範囲に対する（例えば位置、配向、または使用などへの）制限を表すものではないことを当業者は認識するであろう。
【００１７】
[0027]図を参照すると、いくつかの図を通して同様の参照符号は同様のまたは対応した部分を示しており、図１は、携帯電話または他のポータブル電子デバイスなどの物体１２とヘッドホンセット１４とを支持した状態で示される車内娯楽用センター付属品組立体（ＶＥＣＡＡ）１０の実施形態の前面図を示す。本明細書において使用されるとき、ＶＥＣＡＡ１０を記述するために使用される「前方」および「後方」は、図４の車両３０に取り付けられたときのＶＥＣＡＡ１０の位置に対するものであるとみなされる。
【００１８】
[0028]ＶＥＣＡＡ１０は、スクリーン１８を支持するハウジング１７を含む電子ディスプレイデバイス１６を含む（図４および図５で最も良く示される）。またＶＥＣＡＡは、インサート２２を有するハンガー２０と、ヘッドホン支持部２４とを含む。電子ディスプレイデバイス１６のハウジング１７は、前面３６と、スクリーン１８を受け支持する反対側の後面とを含む。以下でより詳細に記述するように、ハウジング１７の前面と後面が協働して、その間に上面が画定および形成される。
【００１９】
[0029]図４で最も良く示されるように、ディスプレイスクリーン１８が全体的に後方に面し、シート組立体２６の後方のシートに着座した車両乗員に対して見えるように露出されるように、ＶＥＣＡＡ１０は、車両３０の乗員区分２８のシート組立体２６に取り付けられるように構成される。シート組立体２６は、乗員区分２８の下側部分に調節可能に連結されたシート底部と、シート底部に調節可能に連結されそれに対して位置決め可能な下側端部を有するシートバック（換言すれば、背もたれ）２６Ｂとを含むことができる。図４は、２つのＶＥＣＡＡ１０を示し、運転者用シート組立体２６と前方乗員用シート組立体２６のそれぞれに１つが取り付けられている。シート組立体２６はそれぞれ、シートバック２６Ｂの上端部に動作可能に連結されたそれぞれのヘッドレスト２６Ａを含む。
【００２０】
[0030]図２および図６に関して、ＶＥＣＡＡ１０は、電子ディスプレイデバイス１６の前側または前面３６の取付け特徴部３４に固定された、ハウジング１７の前面３６から延在している取付け構造部３２を含む。取付け構造部３２は、ヘッドレスト柱開口部３８を含み、そこを通ってヘッドレスト２６Ａのヘッドレスト柱が延在することができ、それにより取付け構造部３２が、シート組立体２６のシートバック２６Ｂに取り付けられる。他の締め具開口部４０は、ＶＥＣＡＡ１０をシート組立体２６に取り付けるために使用される締め具を受けることができる。あるいは、電子ディスプレイデバイス１６のハウジング１７にある取付け特徴部３４は、例えば所望であれば車両３０から電子ディスプレイデバイス１６が取り外されるが、取付け構造部３２はシート組立体２６に取り付けられたままであるようにするなど、電子ディスプレイデバイス１６を取付け構造部３２から容易に取り外し可能にしてもよい。
【００２１】
[0031]図３を参照すると、ハンガー２０は、電子ディスプレイデバイス１６の前側３６に取り付けられる。より具体的には、ハンガー２０は、電子ディスプレイデバイス１６のハウジング１７内に延在している対応する締め具開口部４４に整合した複数の締め具開口部４２を含む。締め具（図示せず）は、整合された開口部４２、４４を通って延在し、ハンガー２０を前側３６に取り付ける。開口部４２を覆うためにカバー４５が設けられてもよい。カバー４５は、ハンガー２０にクリップ留め、または他の態様で固定されてもよい。
【００２２】
[0032]記述されたように取り付けられるとき、ハンガーは、中央部分５０と、中央部分５０から延在している少なくとも１つの肩部分４６とを含む。図に示されるように、少なくとも１つの肩部分４６はハンガー２０の第１および第２の肩４６を含み、この第１および第２の肩４６は、中央部分５０の対向する端部から、電子ディスプレイデバイス１６の後ろで、少なくとも部分的にその上に、かつその横方向外向きに延在しており、これは図１で最も良く示される。したがってハンガー２０はスクリーン１８からずれており、スクリーン１８のいかなる部分も遮蔽することなく、満足のいく視聴体験を提供する。またこれにより、衣類である物品（図示せず）が、電子ディスプレイデバイス１６に干渉することなく、ハンガー２０の肩４６にかけられることが可能になる。非限定的な例として、衣類は、ハンガー２０にかけることができるコート、シャツ、スーツジャケットなどとすることができる。
【００２３】
[0033]本明細書において記述されるように、電子デバイス１６のハウジング１７にハンガーを取り付けおよび固定することによって、ハンガー２０は、ＶＥＣＡＡ１０に組み込まれ、一体化され、車両３０の乗員区分２８内側の空間を節約し、見た目の美しい外観を提供し、車両の別の位置に別個のハンガーを有する必要性をなくす。ハンガー２０は、図４に示されるようにシート組立体１６に取り付けられたとき、電子ディスプレイデバイス１６とシート組立体２６との間に配置され、それによりいくつかの事例では、スクリーン１８が衣類によって覆われないように、全体的に電子ディスプレイデバイス１６とシート組立体２６との間に衣類を収めることが可能になる。あるいは、ハンガー２０にかかる衣類がスクリーン１８を部分的にまたは完全に覆ってもよい。
【００２４】
[0034]図５〜図８を参照すると、ＶＥＣＡＡ１０が図４の車両３０に設置されたときに全体的に上向きに開口している凹状空洞５２を画成する中央部分５０を、ハンガー２０は有する。互いに対向する側壁５３は、第１と第２の肩部分４６の間で空洞５２の前側と後ろ側において延在して、空洞５２を画成している。ハンガー２０の第１および第２の肩部分４６は、肩４６間でハンガー２０を通って延在し中央部分５０に近接して配置されている少なくとも１つのスロット（換言すれば、細長い穴又は溝）５４をさらに画成する。さらに肩４６は、その長さに沿って延在している複数の細長いリブ５６を有する。リブ５６は、肩４６を強化するとともに、リブ５６の厚さが完全に中実な部分である肩に比べてかさを減らすことができる。図９に示されるように、肩４６の下側部分はリブ５６も含む。
【００２５】
[0035]ＶＥＣＡＡ１０はインサート２２を含み、インサート２２は、インサート２２が空洞５２においてハンガー２０の内面５５に沿うように凹状空洞５２内に受けられ、取り外し可能にそれに連結されるように構成される。図７および図８で最も良く示されるように、インサート２２は、突起６２を有する中央部分６１を有し、突起６２は、ハンガー２０の中央部分５０内の開口部６４と整合し、開口部６４内に挿入されてインサート２２をハンガー２０に固定することができる。図８は、インサート２２の挿入方向を示す矢印Ａを示す。
【００２６】
[0036]インサート２２はゴムなどの可撓性材料とすることができる。可撓性材料は、開口部６４内に挿入されるときに突起６２が撓むことを可能にし、それによりインサート２２がハンガー２０に締まり嵌めされる。図９で最も良く示される、インサート２２のさらなる突起６５が、ハンガー２０内の開口部６６と整合し、インサート２２の肩６７をスロット５４上でハンガー２０に固定する。またインサート２２の可撓性材料は、空洞５２に置かれインサート２２によって支持される物体（図１の携帯電話１２など）の滑りを防止することも可能にする。こうしてインサート２２は、事実上、ハンガー２０に対する電話１２の移動を防止するように電話１２を把持し、電話１２を保護し、ハンガー２０に対して電話１２がカタカタ鳴ることを防止する。
【００２７】
[0037]インサート２２は、中央部分６１と肩６７との間にチャネル７４を画成する。インサート２２がハンガー２０に固定されたとき、チャネル７４は、ハンガー２０のスロット５４と整合する。スロット５４とチャネル７４を整合させることによって、電話１２などの物体が、整合されたスロット５４とチャネル７４を通って、図１に示されるようにハンガー２０によって境界が画された空間７６内に延在することが可能になる。組み合わされたハンガー２０とインサート２２上で様々なサイズの携帯電話１２を支持することができるが、これは１つには、空洞５２だけの幅に比べて、開いたスロット５４とチャネル７４とによってより広い幅が与えられることによるものである。さらに空間７６は、空間７６を満たす中実材料からなるハンガーに比べて、ハンガー２０のかさを減らす。
【００２８】
[0038]図４に最も良く示されるように、携帯電話１２がハンガー２０およびインサート２２によって支持されるとき、携帯電話１２のスクリーン７８は、後方シートに座っている人にとって、スクリーン１８と同時に見ることができる。携帯電話１２の外周に沿って配置されている制御ボタンおよびポートも露出される。
【００２９】
[0039]図３、図１０、および図１１は、ヘッドホン支持部２４を最も良く示している。ヘッドホン支持部２４は、ハウジング１７の開口部８２と整合して締め具を受ける締め具開口部８２を有し、その締め具によって、ヘッドホン支持部２４はハウジング１７に固定される。ヘッドホン支持部２４は、図２に示されるハウジング１７の下側末端部８６の下に配置されるように構成されたフック８４を含む。フック８４は、後方に面した（すなわち後方シートの乗員に向かう）全体的にＵ字形状またはＣ字形状の開口部８８を形成する。フック８４は、ヘッドホンセット１４などの、開口部８８内に置かれる物品を支持するように全体的に水平に配置されたアーム９０を有する。開口部８８が後方に面していることから、ヘッドホンセット１４はフック８４に容易に置かれ、そこから取り外される。フック８４は、ヘッドホンセット１４を支持するのに適した強度の材料とすることができ、フック８４に対するヘッドホンセット１４の滑りを最小にするのに適した表面摩擦を提供することができる。
【００３０】
[0040]他の実施形態では、ハンガー２０および電子ディスプレイデバイス１６は、締め具、開口部、穴、スロット、溝、クリップ、タブ、スナップ、摩擦もしくは締まり嵌め特徴部、接着剤、溶接、半田付けなどを含むことができ、それらによって互いに取り付けることができる。特定の実施形態では、ハンガー２０および電子ディスプレイデバイス１６は、一片として形成することができる。
【００３１】
[0041]本開示を実行するための最良のモードおよび他の実施形態が詳細に記述されたが、本開示に関係する当業者であれば、添付の特許請求の範囲内にある本開示を実践するための様々な代替的な設計および実施形態を認識するであろう。さらに図面において示された実施形態、または本記述おいて言及した様々な実施形態の特徴は、必ずしも互いに独立した実施形態として理解されるべきではない。むしろ、実施形態の例のうちの１つにおいて記述された特徴のそれぞれを、他の実施形態からの１つまたは複数の所望される他の特徴と組み合わせることができ、言葉で記述されていないまたは図面への参照によって記述されていない他の実施形態をもたらすことが可能である。したがって、そのような他の実施形態は、添付の特許請求の範囲の枠組み内に含まれる。
【図１】
2018532540.tif 000003
【図２】
2018532540.tif 000004
【図３】
2018532540.tif 000005
【図４】
2018532540.tif 000006
【図５】
2018532540.tif 000007
【図６】
2018532540.tif 000008
【図７】
2018532540.tif 000009
【図８】
2018532540.tif 000010
【図９】
2018532540.tif 000011
【図１０】
2018532540.tif 000012
【図１１】
2018532540.tif 000013
【国際調査報告】
2018532540.tif 000014
2018532540.tif 000015
2018532540.tif 000016